(57)【特許請求の範囲】
【請求項１】
ルーフトリムの開口部に下側から挿入配置され、該開口部の下側周縁部に係止可能なフランジを有するルームランプユニットと、
前記開口部の上側周縁部に配置された枠状のリテーナ部材と、を備え、
前記開口部の周縁部を前記ルームランプユニットのフランジと、前記リテーナ部材とで挟んだ状態で、該リテーナ部材によりルームランプユニットをルーフトリムにサブアッセンブリする構造であって、
前記リテーナ部材は、前記ルーフトリムの開口部の周縁部に当接する押え壁と、該押え壁の少なくとも内周縁側に設けた立上がり壁と、を備えて一定の型断面に形成してあって、その周方向の複数ヶ所には、前記内周縁側の立上がり壁を側壁の一部とする、下側が開放したボックス状のタワー部を一体に備え、
前記タワー部の前記ルームランプユニットの周側面に対向する側壁には、該タワー部の上縁側に支持点を持ち、下端縁に係止爪を備えて、前記リテーナ部材の径方向に撓み変形可能な板ばね片を設け、
前記板ばね片の弾性作用により、前記係止爪と前記ルームランプユニットの周側面に設けた係止部とを相互に係着可能としたことを特徴とする車両用ルームランプの取付構造。
【請求項２】
前記板ばね片を、前記リテーナ部材の径方向内側に向けて傾斜して形成したことを特徴とする請求項１に記載の車両用ルームランプの取付構造。
【請求項３】
前記タワー部を、前記立上がり壁の上縁部よりも上方に突出して形成したことを特徴とする請求項１または２に記載の車両用ルームランプの取付構造。
【発明の詳細な説明】
【技術分野】
【０００１】
本発明は、車両用ルームランプの取付構造に関する。
【背景技術】
【０００２】
特許文献１には、ルーフトリムに形成した開口部の一側縁部に、ルームランプユニットの一側縁を下側から挿し込み係着して、該ルームランプユニットをこの係着部を支点に斜め下がりに仮止め可能としたルームランプの取付構造が開示されている。
【先行技術文献】
【特許文献】
【０００３】
【特許文献１】特開２０１０−１３７８２２号公報
【発明の概要】
【発明が解決しようとする課題】
【０００４】
特許文献１の開示技術は、ルーフパネルの室内側の面に沿って配設したルーフトリムに対して、ルームランプユニットを後付けする構造を前提とするものである。そして、上述のように、ルームランプユニットを斜め下がりに仮止めすることにより、仮止め点と反対側に確保された開口部の隙間を利用して、ルーフトリム背面側の空間に配索したハーネスのコネクタ接続を可能としたものである。
【０００５】
近年、車両用艤装部品の輸送，搬送工数の削減、および車体への組付工数の削減等を目的として、ルームランプユニットをルーフトリムにサブアッセンブリしてモジュール化することが行われている。
【０００６】
しかし、特許文献１の開示技術は、前述のようにルームランプユニット後付けタイプの構造であるため、構造上、上述のモジュール化には馴染まない。
【０００７】
そこで、本発明はルーフトリムとルームランプユニットのモジュール化を組付け上有利に行える車両用ルームランプの取付構造を提供するものである。
【課題を解決するための手段】
【０００８】
本発明の車両用ルームランプの取付構造にあっては、ルーフトリムの開口部に下側から挿入配置され、該開口部の下側周縁部に係止可能なフランジを有するルームランプユニットと、この開口部の上側周縁部に配置された枠状のリテーナ部材と、を備えていて、該リテーナ部材を用いて前記開口部の周縁部をルームランプユニットのフランジとで挟んだ状態で、ルームランプユニットをルーフトリムにサブアッセンブリするようにしている。
【０００９】
リテーナ部材は、ルーフトリムの開口部の周縁部に当接する押え壁と、該押え壁の少なくとも内周縁側に設けた立上がり壁と、を備えて一定の型断面に形成してある。
【００１０】
このリテーナ部材の周方向の複数ヶ所には、内周縁側の立上がり壁を側壁の一部とする、下側が開放したボックス状のタワー部を一体に備えている。
【００１１】
そして、このタワー部のルームランプユニット周側面に対向する側壁に、該タワー部の上縁側に支持点を持ち、下端縁に係止爪を備えて、リテーナ部材の径方向に撓み変形可能な板ばね片を設け、該板ばね片の弾性作用により、前記係止爪とルームランプユニットの周側面に設けた係止部とを相互に係着可能としたことを主要な特徴としている。
【発明の効果】
【００１２】
本発明によれば、ルーフトリムとルームランプユニットおよびリテーナ部材とを位置合わせして、ルームランプユニットとリテーナ部材とを上下方向に押圧することにより、板ばね片が弾性作用により撓み変形して、係止爪と係止部相互がくぐり抜けて係着する。このとき、複数の板ばね片がルームランプユニットの周側面に摺接することにより、リテーナ部材とルームランプユニット相互の芯出し作用が得られて、上述の位置合わせを容易に行うことができる。そして、一方向の押圧作業でルームランプユニットの係着固定を行えるため、組付け作業が単純化してロボットによる自動組付けが可能となる。
【００１３】
この結果、ルーフトリムとルームランプユニットとの一体モジュール化をコスト的に有利に行うことができる。
【００１４】
しかも、リテーナ部材は一定の型断面としてあると共に、その周方向の複数ヶ所にボックス状のタワー部を一体に備えた剛体構造としてあり、このタワー部に板ばね部材を設けてあるため、ルームランプユニットの保持力を強くして、取付剛性を高めることができる。
【図面の簡単な説明】
【００１５】
【図１】本発明の構造に用いられるリテーナ部材の一例を示す斜視図。
【図２】本発明の取付構造を示す図１のＡ−Ａ線に沿う断面説明図。
【図３】図２のＢ範囲部の拡大図。
【図４】図２のＣ範囲部の拡大図。
【図５】板ばね部材の形成部周りの構造を示す斜視図。
【発明を実施するための形態】
【００１６】
以下、本発明の実施形態を図面と共に詳述する。
【００１７】
図２に示す本実施形態の構造にあっては、ルーフトリム１１に形成した開口部１２に下側から挿入配置され、該開口部１２の下側周縁部に係止可能なフランジ１４を有するルームランプユニット１３と、開口部１２の上側周縁部に配置された枠状のリテーナ部材１６と、を備えている。
【００１８】
ルーフトリム１１は、図３，図４に示すように、芯材１１ａと、その下面側の表皮１１ｂとから成る合成樹脂成形体として構成し、ルーフパネル１の室内側の面を覆って装着してある。
【００１９】
ルームランプユニット１３は、合成樹脂製の化粧ケースに組付けた構成としてあって、フランジ１４はこの化粧ケースに形成してある。
【００２０】
このルームランプユニット１３は、フランジ１４とリテーナ部材１６とで開口部１２の周縁部を挟んだ状態で、該リテーナ部材１６によってルーフトリム１１にサブアッセンブリして、ルーフトリム１１とルームランプユニット１３とを一体としたルーフモジュールを構成している。
【００２１】
このルーフモジュールは、ルーフトリム１１の周縁部分をルーフパネル１の周縁部分のルーフレール（ルーフ骨格部材）２にクリップ等の止着部材で固定すると共に、ルームランプユニット１３をその背面に突設したクリップ１５等の係着部材により、近傍のルーフレール２に係着固定するようにしている。
【００２２】
リテーナ部材１６は、ルームランプユニット１３およびルーフトリム１１の開口部１２の形状に対応した枠状、例えば、図１に示す例では略矩形の枠状に形成してある。
【００２３】
このリテーナ部材１６は、適宜の合成樹脂材からなり、ルーフトリム１１の開口部１２の周縁部に当接する押え壁１７と、該押え壁１７の少なくとも内周縁側に設けた立上がり壁１８と、を備えて一定の型断面に形成してある。
【００２４】
本実施形態では、立上がり壁１８を押え壁１７の内，外周縁に設けて、リテーナ部材１６を溝型（凹型）断面として形成してある。
【００２５】
このリテーナ部材１６の周方向の複数ヶ所には、内，外周縁の立上がり壁１８を側壁の一部とする、下側が開放したボックス状のタワー部１９を一体に備えている。
【００２６】
タワー部１９は、立上がり壁１８の上縁よりも成形高さを大きくしてある。また、この立上がり壁１８の上側外縁にはＲ（丸み）を付与して、後述する再組付け補助具としての紐３の引掛かりを回避し得るようにしている。
【００２７】
タワー部１９のルームランプユニット周側面に対向する側壁には、該タワー部１９の上縁側に支持点を持ち、下端縁に係止爪２０ａを備えて、リテーナ部材１６の径方向に撓み変形可能な板ばね片２０を設けてある。この板ばね片２０は、リテーナ部材１６の径方向内側に向けて傾斜して形成してある。
【００２８】
一方、ルームランプユニット１３の周側面には、板ばね片２０の係止爪２０ａと係着する係止部１３ａを形成してある。図３，図４に示す例では、係止部１３ａを突縁部として形成してあるが、係止溝や係止孔として形成してもよい。
【００２９】
そして、これら係止爪２０ａと係止部１３ａとを相互に係着して、前述のようにルームランプユニット１３を、フランジ１４とリテーナ部材１６とで、開口部１２の周縁部を挟んだ状態でルーフトリム１１にサブアッセンブリしてある。
【００３０】
本実施形態によれば、ルームランプユニット１３とルーフトリム１１との組付けに際しては、ルーフトリム１１とルームランプユニット１３およびリテーナ部材１６とを位置合わせして、ルームランプユニット１３とリテーナ部材１６とを上下方向に押圧する。これにより、リテーナ部材１６の板ばね片２０が弾性作用により撓み変形して、係止爪２０ａとルームランプユニット１３の係止部１３ａの相互がくぐり抜けて係着する。
【００３１】
このとき、複数の板ばね片２０がルームランプユニット１３の周側面に摺接することにより、リテーナ部材１６とルームランプユニット１３相互の芯出し作用が得られて、上述の位置合わせを容易に行うことができる。この位置合わせ作業を治具を用いて行う場合、ルームランプユニット１３とリテーナ部材１６相互の芯出し作用が得られるため、治具の構成を簡単にすることができる。
【００３２】
そして、この一方向の押圧作業でルームランプユニット１３のルーフトリム１１への係着固定を行えるため、組付け作業が単純化してロボットによる自動組付けが可能となる。
【００３３】
この結果、ルーフトリム１１とルームランプユニット１３との一体モジュール化をコスト的に有利に行うことができる。
【００３４】
また、リテーナ部材１６は押え壁１７とその周縁の立上がり壁１８とで一定の型断面としてあると共に、周方向の複数ヶ所にボックス状のタワー部１９を一体に備えた剛体構造としてあり、このタワー部１９に板ばね片２０を設けてあるため、ルームランプユニット１３の保持力を強くして、取付構造を高めることができる。
【００３５】
ルーフトリム１１は、車両の仕様によって表皮１１ｂの意匠模様や材質を変えることから板厚が大，小異なる場合がある。本実施形態では、リテーナ部材１６の板ばね片２０を、該リテーナ部材１６の径方向内側に向けて傾斜して形成してあるため十分な撓み変形量を確保でき、ルーフトリム１１の板厚の大，小に関わらずルームランプユニット１３をしっかりと保持することができる。
【００３６】
また、タワー部１９を立上がり壁１８の上縁よりも成形高さを大きくしてあるため、リテーナ部材１６の全体的な嵩張りを伴うことなく板ばね片２０の脚長を長くして形成することができて、上述の撓み変形量の確保を構造的に有利に行うことができる。
【００３７】
ここで、ルーフトリム１１をルーフレール２に固定した状態のままルームランプユニット１３を再組付けする必要が生じた場合、以下に述べるようにルームランプユニット１３とリテーナ部材１６とを簡単に相互係着することができる。
【００３８】
ルームランプユニット１３をルーフトリム１１から取り外すと、リテーナ部材１６はルーフトリム１１に対して非固定状態にある。
【００３９】
そこで、図３に鎖線で示すように再組付け補助具として、紐３をリテーナ部材１６に巻回して両端をルーフトリム１１の開口部１２から引き出して、これを作業者が把持することでリテーナ部材１６を開口部１２の上側周縁部に暫定的に止め置くことが可能である。従って、この紐３を例えば、各タワー部１９の近傍に配置しておいて、ルームランプユニット１３を開口部１２に挿入し、その周方向で順次紐３の下方への牽引操作とルームランプユニット１３の上方への押し込み操作を行う。これにより、前述と同様に係止爪２０ａと係止部１３ａとを係着させて、該ルームランプユニット１３の再組付けが可能となる。
【００４０】
このとき、タワー部１９が立上がり壁１８の上縁よりも上方に突出しているので、開口部１２の下側から手を差し込んでリテーナ部材１６に紐３を巻回する際に、該タワー部１９に触れることで位置を確認して紐３を最適位置に配置することができて、作業をし易くすることができる。また、立上がり壁１８の上側外縁にＲを付与してあるため、再組付け完了後に紐３の一端を把持してこれを引き抜く際に、紐３の引掛かりを回避して、紐３の引き抜き作業を容易に行える。また、このＲは上述の再組付け時における紐切れ防止としても役立つ。
【００４１】
なお、上述の実施形態ではリテーナ部材１６を溝型断面としているが、立上がり壁１８を内周縁に設けたＬ型断面とした構成であってもよい。
【符号の説明】
【００４２】
１１…ルーフトリム
１２…開口部
１３…ルームランプユニット
１３ａ…係止部
１４…フランジ
１６…リテーナ部材
１７…押え壁
１８…立上がり壁
１９…タワー部
２０…板ばね片
２０ａ…係止爪
【図１】
0005560214.tif 000002
【図２】
0005560214.tif 000003
【図３】
0005560214.tif 000004
【図４】
0005560214.tif 000005
【図５】
0005560214.tif 000006